(57)【要約】【課題】所持者の居場所を被報知者に報知する際の利便性を向上する。【解決手段】携帯電話機１００の所持者が特定キーを操作すると、位置通知アドレステーブルに登録される電子メールアドレス宛てに、位置名、位置情報、測位精度、測位時刻が記述された電子メールを作成して送信する。また携帯電話機１００は、位置通知アドレステーブルに登録されたアドレスの電子メールを受信すると、この電子メールの送信元を宛先とする電子メールを作成し、これに位置する位置名、位置情報、測位精度、測位時刻を記述して送信する。さらに携帯電話機１００は、通知場所テーブルに登録された出発報知時刻になると測位を行い、所持者が上記出発報知時刻に対応付けられた位置名の場所の近傍に居るか居ないかを判定して、その場所を出発したか否かを位置通知アドレステーブルに登録される電子メールアドレス宛ての電子メールで報知するようにしたものである。【選択図】図１
2007267175.tif 000002
【特許請求の範囲】
【請求項１】
ＧＰＳ衛星からの信号を受信し、この信号に基づいて位置を検出する位置検出手段と、
ユーザからの要求を受け付ける受付手段と、
この受付手段がユーザから要求を受け付けた場合に、前記位置検出手段が検出した位置を示す情報を含む電子メールを作成する電子メール作成手段と、
この電子メール作成手段が電子メールを作成した場合に、この電子メールを無線送信する送信手段とを具備することを特徴とする移動無線端末装置。
【請求項２】
ＧＰＳ衛星からの信号を受信し、この信号に基づいて位置を検出する位置検出手段と、
無線回線を通じて、電子メールを受信する受信手段と、
この受信手段が受信した電子メールに予め設定された文字列が含まれる場合に、前記位置検出手段が検出した位置を示す情報を含み、前記電子メールの送信元宛てた電子メールを作成する電子メール作成手段と、
この電子メール作成手段が電子メールを作成した場合に、この電子メールを無線送信する送信手段とを具備することを特徴とする移動無線端末装置。
【請求項３】
ＧＰＳ衛星からの信号を受信し、この信号に基づいて位置を検出する位置検出手段と、
予め設定された場所の位置を示す位置情報を記憶する記憶手段と、
前記位置検出手段が検出した位置を示す情報と、前記記憶手段が記憶する位置情報を比較して、前記予め設定された場所から離れたことを検出する検出手段と、
この検出手段が前記予め設定された場所から離れたことを検出した場合に、予め設定した宛先に宛てた電子メールを作成する電子メール作成手段と、
この電子メール作成手段が電子メールを作成した場合に、この電子メールを無線送信する送信手段とを具備することを特徴とする移動無線端末装置。
【請求項４】
ＧＰＳ衛星からの信号を受信し、この信号に基づいて位置を検出する位置検出手段と、
予め設定された場所の位置を示す位置情報を記憶する記憶手段と、
前記位置検出手段が検出した位置を示す情報と、前記記憶手段が記憶する位置情報を比較して、前記予め設定された場所に近づいてことを検出する検出手段と、
この検出手段が前記予め設定された場所に近づいたことを検出した場合に、予め設定した宛先に宛てた電子メールを作成する電子メール作成手段と、
この電子メール作成手段が電子メールを作成した場合に、この電子メールを無線送信する送信手段とを具備することを特徴とする移動無線端末装置。
【請求項５】
さらに、前記位置検出手段による検出精度を検出する精度検出手段を備え、
前記電子メール作成手段は、前記精度検出手段が検出した検出精度を示す情報を含む電子メールを作成することを特徴とする請求項１乃至請求項４のいずれかに記載の移動無線端末装置。
【発明の詳細な説明】
【技術分野】
【０００１】
この発明は、例えば携帯電話システムやＰＨＳ（Personal Handyphone System）などの移動通信システムに用いられる移動無線端末装置に関する。
【背景技術】
【０００２】
周知のように、携帯電話をはじめとする移動通信端末は広く普及するようになった。またＧＰＳ（Global Positioning System）受信機を内蔵し、正確な位置情報を検出する機能を備えるものもある。そして近時、子供や老人、障害者などに携帯させ、電子メールにより所持者の位置情報を被報知者に報知することが考えられている（例えば、特許文献１参照）。
【０００３】
しかしながら、上記特許文献１に記載の携帯電話機は、自律的に位置情報を報知するものであるため、被報知者が所望のタイミングで、所持者の居場所を認識することはできないという問題があった。また所持者は位置情報を被報知者に知らせたくても、複雑な操作が必要であるために、迅速かつ容易に、位置情報を伝達できないという問題もあった。
【特許文献１】特開２００５−３０３８６４公報
【発明の開示】
【発明が解決しようとする課題】
【０００４】
従来の移動無線端末装置では、自律的に位置情報を報知するものであるため、被報知者が所望のタイミングで、所持者の居場所を認識することはできないという問題があった。また所持者は位置情報を被報知者に知らせたくても、複雑な操作が必要であるために、迅速かつ容易に、位置情報を伝達できないという問題もあった。  
この発明は上記の問題を解決すべくなされたもので、所持者の居場所を被報知者に報知する際の利便性を向上させた移動無線端末装置を提供することを目的とする。
【課題を解決するための手段】
【０００５】
上記の目的を達成するために、この発明は、ＧＰＳ衛星からの信号を受信し、この信号に基づいて位置を検出する位置検出手段と、ユーザからの要求を受け付ける受付手段と、この受付手段がユーザから要求を受け付けた場合に、位置検出手段が検出した位置を示す情報を含む電子メールを作成する電子メール作成手段と、この電子メール作成手段が電子メールを作成した場合に、この電子メールを無線送信する送信手段とを具備して構成するようにした。
【発明の効果】
【０００６】
以上述べたように、この発明では、ユーザが要求を行うと、これに応動して、位置情報を含む電子メールを作成して無線送信するようにしている。  
したがって、この発明によれば、所持者は容易な操作で迅速に位置情報を被報知者に通知できるので、利便性が高い移動無線端末装置を提供できる。
【発明を実施するための最良の形態】
【０００７】
以下、図面を参照して、この発明の一実施形態について説明する。  
図１は、この発明の一実施形態に係わる移動通信システムの構成を示すものである。この移動通信システムは、携帯電話機１００，２００と、基地局ＢＳ１，ＢＳ２と、移動通信網ＮＷと、メールサーバＭＳとを備える。図１に示す例では、携帯電話機１００と携帯電話機２００はどちらも同じ構成である。また、携帯電話機１００は、子供が所持し、携帯電話機２００は、親が所持することが一般的に考えられるが、これに限定されない。
【０００８】
また携帯電話機１００は、最寄りの基地局ＢＳ１と無線接続し、携帯電話機２００は、最寄りの基地局ＢＳ２と無線接続する。そして、携帯電話機１００，２００は、それぞれ最寄りの基地局ＢＳ１，ＢＳ２および移動通信網ＮＷを通じて通信リンクを確立し、音声通信を行う。
【０００９】
そしてまた携帯電話機１００，２００は、それぞれ電子メールの送受信機能を備える。各携帯電話機１００，２００から送信された電子メールは、それぞれ最寄りの基地局ＢＳ１，ＢＳ２および移動通信網ＮＷを通じてメールサーバＭＳにいったん蓄積され、メールサーバＭＳにより、宛先へ転送されるか、あるいは宛先からの要求に応じて宛先に送信される。携帯電話機１００，２００は、それぞれ最寄りの基地局ＢＳ１，ＢＳ２および移動通信網ＮＷを通じてメールサーバＭＳから自己宛ての電子メールを受信する。
【００１０】
次に、図２を参照して、携帯電話機１００，２００の構成について説明する。携帯電話機１００，２００は、アンテナ１０１と、通信部１１０と、音声処理部１２０と、表示部１３０と、操作部１４０と、報知部１５０と、記憶部１６０と、ＧＰＳ（Global Positioning System）測位部１７０と、時計部１８０と、制御部１９０とを備える。
【００１１】
アンテナ１０１は、基地局ＢＳ１やＢＳ２から送信される無線信号の受信や、当該携帯電話機から基地局ＢＳ１やＢＳ２に宛てた無線信号の送信を行うものである。  
通信部１１０は、アンテナ１０１を通じて基地局ＢＳ１やＢＳ２と無線通信するものである。具体的には、通信部１１０は、アンテナ１０１が受信した無線信号をダウンコンバートして復調し、通信相手局から送信された符号化音声データや、メールサーバＭＳから電子メールデータを得る。また通信部１１０は、制御部１９０を通じて音声処理部１２０から与えられる符号化音声データや電子メールデータを用いてベースバンド信号を変調し、これをアップコンバートして無線信号を生成し、アンテナ１０１を通じて上記基地局に宛てて送信する。
【００１２】
音声処理部１２０は、通信部１１０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１９０を通じて通信部１１０に与える。
【００１３】
表示部１３０は、ＬＣＤ（Liquid Crystal Display）などを用いた表示装置であって、テキストや画像など種々の視覚的な情報をユーザに映示するものである。操作部１４０は、複数のキースイッチなどを備え、ユーザの要求を受け付けるものである。報知部１５０は、着信の発生を音によりユーザに報知するものである。
【００１４】
記憶部１６０は、制御部１９０の制御プログラムや制御データ、電話番号、名称および顔写真などの画像データを対応づけた電話帳データを記憶するとともに、送受信したメールデータや、当該クライアント端末の設定に関わる説明データなどが記憶される。
【００１５】
また記憶部１６０は、図３に示すような位置通知アドレステーブル、図４に示すような位置情報テーブル、図５に示すような通知場所テーブルを記憶する。位置通知アドレステーブルは、位置情報の送信先の名称と、その電子メールアドレスと、その確認拒否設定とを対応付けたテーブルである。位置情報テーブルは、北緯と東経（必要に応じて高度）などで示した位置情報とその測位精度、これらの情報を取得した時刻とを対応付けたテーブルである。通知場所テーブルは、位置名と、その位置情報と、出発報知時刻と、到着報知時刻とを対応付けたテーブルである。
【００１６】
ＧＰＳ測位部１７０は、例えば図１に示したＧＰＳ衛星ＳＴ１，ＳＴ２、ＳＴ３などから送信される位置情報を求めるための信号（以下、ＧＰＳ信号と記す）を複数受信して、この信号に含まれる情報や、上記ＧＰＳ衛星の位置情報に基づいて位置情報の演算を行い、当該携帯電話機の位置を求めるものである。また、ＧＰＳ測位部１７０は、測位によって得た位置情報の測位精度を求める。この測位精度は、ＧＰＳ衛星ＳＴ１乃至ＳＴ３から得られた信号の個数などにより求められるもので、測位精度は、誤差５０メートル未満のレベル１（例えばＧＰＳ衛星ＳＴ１乃至ＳＴ３の全てから信号が得られた場合、最良の精度とする）、誤差３００メートル未満のレベル２（例えばＧＰＳ衛星ＳＴ１乃至ＳＴ３のうち２つのＧＰＳ衛星から信号が得られた場合）、誤差３００以上のレベル３（例えばＧＰＳ衛星ＳＴ１乃至ＳＴ３のうち１つのＧＰＳ衛星から信号が得られた場合）がある。
【００１７】
なお、図１ではＧＰＳ衛星を３つだけ図示しているが、高い測位精度を得るためには、４つ以上が好ましい。また付加機能として、角速度センサや加速度センサを併用して、測位精度を上げるようにしてもよい。  
時計部１８０は、時刻を計時する機能と、制御部１９０から指定される時間をカウントするタイマ機能を備えるものである。
【００１８】
制御部１９０は、当該携帯電話機の各部を統括して制御するものである。例えば、制御部１９０は、着信信号を受信した場合に着信制御機能、ユーザから発信要求が受け付けた場合の発信制御機能、発着信時に通話相手と通信リンクを確立して音声データの送受信および音声の入出力を行う通話制御機能、電子メールの送受信制御機能を備える。
【００１９】
この他に、制御部１９０は新たな制御機能として、容易な操作で位置情報を電子メールにて送信する簡単位置メール機能、電子メールによる要求に応じて位置情報を電子メールにて送信する位置お知らせメール機能、予め設定した時刻に登録場所を出発した旨や到着した旨を電子メールにて送信する出発到着お知らせメール機能を備える。これらの機能については、後に詳述する。
【００２０】
なお、ＧＰＳ測位部１７０による測位（ＧＰＳ情報の受信・位置情報の演算）は、制御部１９０からの指示以外でも定期的に実行され、測位によって得た位置情報およびその測位精度は、制御部１９０に通知される。これに対して制御部１９０は、通知された位置情報および測位精度を、時計部１８０が計時する時刻を測位時刻として対応付け、記憶部１６０の位置情報テーブル（図４参照）に現在位置として更新記録する。
【００２１】
次に、上記構成の携帯電話機２００の動作について説明する。ここでは特に、従来より為される音声通信に関わる制御動作や、電子メールの送受信に関わる制御動作についての説明は省略し、簡単位置メール機能、位置お知らせメール機能および出発到着お知らせメール機能について説明する。
【００２２】
まず図６を参照して、簡単位置メール機能の動作について説明する。図６は、簡単位置メール機能に関する制御部１９０の制御フローを示すフローチャートであって、この図に示す処理は、当該携帯電話機の電源が投入されると、電源が切られるまで繰り返し実行される。また、電源が切られていたとしてもこのフローチャートの関する処理を受け付けられるようにしてもよい。
【００２３】
ステップ６ａにおいて制御部１９０は、操作部１４０の特定キーが操作されたか否かを判定する。ここで、上記特定キーが操作されたと判定した場合には、ステップ６ｂに移行し、操作されないと判定した場合には、当該処理をいったん終了し、再びステップ６ａを実行する。
【００２４】
なお、特定キーの操作は、例えば閉じた状態と開いた状態とに遷移可能な携帯端末において、閉じた状態でも即位置情報を送信できるように、閉じた状態で操作可能なキーの操作（一定時間以上の押下状態）を検出した場合にステップ６ａの特定キーの操作とすることが望ましい。しかし、これに限定されるものではなく、２つ以上の複数のキーの押下（一定時間以上の押下または単なる押下）でもよいし、複数のキーを予め定めた順序で押下することを特定キーの押下と判定してもよい。
【００２５】
ステップ６ｂにおいて制御部１９０は、ＧＰＳ測位部１７０を制御して、位置を測位させ、ステップ６ｃに移行する。これによりＧＰＳ測位部１７０は、ＧＰＳ衛星ＳＴ１乃至ＳＴ３などから送信されるＧＰＳ信号を受信して、この信号に含まれる情報に基づいて測位演算を行い、当該携帯電話機の位置情報および測位精度を求める。なお、当該携帯電話機は、屋内や地下にある場合は、ＧＰＳ信号が受信できないために、測位を失敗することもある。この場合、ＧＰＳ測位部１７０は、制御部１９０から位置情報の出力要求があるまで、測位を継続するようにしてもよいし、位置情報が測位できない旨を表示部１３０に表示させるようにしてもよい。
【００２６】
ステップ６ｃにおいて制御部１９０は、ステップ６ｂでの測位が成功したか否かを判定する。測位の成否判定は、制御部１９０がＧＰＳ測位部１７０に対して位置情報の出力要求を行い、これに対して応答（位置情報の出力）があれば成功と判定し、上記応答がなければ失敗と判定する。ここで、測位が成功した場合には、ステップ６ｄに移行し、一方、測位が失敗した場合には、ステップ６ｅに移行する。
【００２７】
ステップ６ｄにおいて制御部１９０は、ＧＰＳ測位部１７０から位置情報およびその測位精度を取得するとともに、時計部１８０より現在時刻を示す時刻情報を取得し、これらの情報で記憶部１６０の位置情報テーブル（図４参照）に記録される情報を更新し、ステップ６ｆに移行する。  
一方、ステップ６ｅにおいて制御部１９０は、記憶部１６０の位置情報テーブルから位置情報、測位精度および時刻情報を読み出し、ステップ６ｆに移行する。
【００２８】
ステップ６ｆにおいて制御部１９０は、ステップ６ｄで取得した情報（位置情報、測位精度および測位時刻）もしくはステップ６ｅで読み出した情報（位置情報、測位精度および測位時刻）と、記憶部１６０の通知場所テーブル（図５参照）とに基づいて、当該携帯電話機が位置する位置名（例えば「学校」、「公園」、「塾」など）を検出し、ステップ６ｇに移行する。この位置名の検出では、上記位置情報と、通知場所テーブルに記録される位置情報とを比較して行うが、位置情報の値が完全に一致する必要なく、予め設定した誤差内であれば、その位置に当該携帯電話機が位置するものとして判定する。
【００２９】
ステップ６ｇにおいて制御部１９０は、ステップ６ｆで検出した位置名と、ステップ６ｄで取得した情報（位置情報、測位精度および測位時刻）もしくはステップ６ｅで読み出した情報（位置情報、測位精度および測位時刻）とを本文に記述した電子メールを作成する。また制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信し、当該処理を終了する。
【００３０】
なお、ステップ６ｆの直前において、制御部１９０は、記憶部１６０の位置通知アドレステーブル（図３参照）に登録される電子メールアドレスを上記電子メールの宛先に設定する。そして制御部１９０は、位置情報、精度、時刻などの情報を、通信部１１０を制御して送信し、当該処理を終了するようにしてもよい。
【００３１】
また、測位に失敗した場合、ステップ６ｅにおいて、記憶部１６０の位置情報テーブルに記憶される最後に測位した情報を読み出して、この読み出した情報に基づく情報を含む電子メールを送信するようにした。これに代わって例えば、測位に失敗した場合には、上述のように最後に測位した情報を用いずに、測位を失敗した旨を本文に記述した電子メールを作成し、これを送信するようにしてもよい。
【００３２】
以上のように、上記構成の携帯電話機では、所持者が操作部１４０の特定キーを操作すると、位置通知アドレステーブルに登録される電子メールアドレス宛てに、当該携帯電話機が位置する位置名、位置情報、測位精度、測位時刻が記述された電子メールを作成して送信するようにしている。このため、上記構成の携帯電話機によれば、所持者が老人や障害者、子供であったり、災害に遭ったり、急病により複雑な操作ができない状況にあっても、所持者は簡便な操作で、特定の相手に位置情報を通知することができる。
【００３３】
次に図７Ａ，７Ｂ，７Ｃを参照して、位置お知らせメール機能の動作について説明する。図７Ａ，７Ｂ，７Ｃは、位置お知らせメール機能に関する制御部１９０の制御フローを示すフローチャートであって、この図に示す処理は、当該携帯電話機が電子メールを受信した際に実施される。
【００３４】
なお、当該携帯電話機の居場所が知りたい者は、この携帯電話機宛てに別の携帯電話機（例えば携帯電話機１００）から位置情報を求める電子メールを送信する。その際に、電子メールの件名（subject）には、例えば予め設定した「位置要求」などのキーワードと、測位回数、インターバル時間を設定して送信を行うものとする。一例を挙げると、「位置要求メール０４１０」などで、これは、当該電子メールが位置情報を要求するものであり、測位回数が「４」で、測位を「１０」分おきに実施するように指示することを意味する。また、例えば位置情報が送信されることを、所持者に確認する場合には、上記件名に、「確認要求」などのキーワードを設定して送信を行うものとする。
【００３５】
まず、ステップ７ａにおいて制御部１９０は、受信した電子メールが位置情報を要求する電子メールであるか否かを判定する。この判定は、受信した電子メールの件名に予め設定したキーワード「位置要求」などの文字列が設定されているか否かで判断する。ここで、件名に上記キーワードが設定される場合、すなわち受信した電子メールが位置情報を要求する電子メールの場合には、ステップ７ｂに移行する。一方、件名に上記キーワードが設定されない場合、すなわち位置情報を要求する電子メールでない場合には、通常の電子メールと見なし、当該処理を終了する。
【００３６】
なお、件名にキーワードを設定させておくことに限定されず、本文の先頭の文字（または絵文字や記号）による判断や、末尾の文字（または絵文字や記号）による判断や、予め定められたフラグのＯＮ／ＯＦＦによる判断や、予め定められた添付ファイルの有無による判断による判定でもよい。
【００３７】
例えば、予め定められたフラグのＯＮ／ＯＦＦによる判断は、例えば以下のように行われる。送信側である携帯電話機１００側に、「位置情報を要求するメール」である電子メールを送るか、あるいは通常の電子メールを送るかを選択して設定するメニューを用意する。そして、このメニューを通じて「位置情報を要求するメール」が設定される場合には、携帯電話機１００の制御部１９０は、上記設定に対応するフラグをＯＮとする情報を上記電子メールに付加して送信することが考えられる。そして、これに対して受信側である携帯電話機２００の制御部１９０は、受信した電子メールから、上記フラグがＯＮであるか、ＯＦＦであるかを判断することで、位置情報を要求する電子メールであるか否かを判断する。
【００３８】
ステップ７ｂにおいて制御部１９０は、受信した電子メールの送信元となる電子メールアドレスを参照し、このアドレスが位置通知アドレステーブル（図３参照）に登録されているか否かを判定する。ここで、登録されている場合には、ステップ７ｃに移行し、登録されていない場合には、通常の電子メールと見なし、当該処理を終了する。
【００３９】
ステップ７ｃにおいて制御部１９０は、図７Ｂに示すような測位パラメータ設定処理を実施する。まず、ステップ７ｍにおいて制御部１９０は、受信した電子メールの件名に、測位回数を指定する数値が設定されているか否かを判定する。ここで、測位回数を指定する数値が設定されている場合には、ステップ７ｏに移行し、一方、測位回数を指定する数値が設定されていない場合には、ステップ７ｎに移行する。
【００４０】
ステップ７ｎにおいて制御部１９０は、測位回数を示すパラメータｍに「１」を設定して、これを記憶部１６０に記録し、図７Ａのステップ７ｄに移行する。  
一方、ステップ７ｏにおいて制御部１９０は、測位回数を示すパラメータｍに、受信した電子メールの件名で指定される数値を設定して、これを記憶部１６０に記録し、ステップ７ｐに移行する。
【００４１】
ステップ７ｐにおいて制御部１９０は、受信した電子メールの件名に、インターバル時間を指定する数値が設定されているか否かを判定する。ここで、インターバル時間を指定する数値が設定されている場合には、ステップ７ｒに移行し、一方、インターバル時間を指定する数値が設定されていない場合には、ステップ７ｑに移行する。
【００４２】
ステップ７ｑにおいて制御部１９０は、インターバル時間を示すパラメータｔに、予め設定した初期値を設定して、これを記憶部１６０に記録し、図７Ａのステップ７ｄに移行する。
【００４３】
一方、ステップ７ｒにおいて制御部１９０は、インターバル時間を示すパラメータｔに、受信した電子メールの件名で指定される数値を設定して、これを記憶部１６０に記録し、図７Ａのステップ７ｄに移行する。
【００４４】
図７Ａのステップ７ｄにおいて制御部１９０は、受信した電子メールに確認要求が設定された電子メールであるか否かを判定する。この判定は、受信した電子メールの件名に予め設定したキーワード「確認要求」などの文字列が設定されているか否かで判断する。ここで、件名に上記キーワードが設定される場合、すなわち確認要求の設定が為された電子メールの場合には、ステップ７ｆに移行する。一方、件名に上記キーワードが設定されない場合、すなわち確認要求の設定が為されない電子メールの場合には、ステップ７ｅに移行する。
【００４５】
なお、件名にキーワードを設定させておくことに限定されず、本文の先頭の文字（または絵文字や記号）による判断や、末尾の文字（または絵文字や記号）による判断や、予め定められたフラグのＯＮ／ＯＦＦによる判断や、予め定められた添付ファイルの有無による判断による判定でもよい。
【００４６】
例えば、予め定められたフラグのＯＮ／ＯＦＦによる判断は、例えば以下のように行われる。まず、送信側である携帯電話機１００側に、位置情報を要求する電子メールを「確認要求を行う」電子メールか、「確認要求を行わない」電子メールかを選択するメニューを用意する。そして、このメニューを通じて「確認要求を行う」電子メールが設定される場合には、携帯電話機１００の制御部１９０は、上記設定に対応するフラグをＯＮとする情報を上記電子メールに付加して送信することが考えられる。そして、これに対して受信側である携帯電話機２００の制御部１９０は、受信した電子メールから、上記フラグがＯＮであるか、ＯＦＦであるかを判断することで、位置情報を要求する電子メールが「確認要求を行う」電子メールか、「確認要求を行わない」電子メールであるかを判断する。
【００４７】
ステップ７ｅにおいて制御部１９０は、位置通知アドレステーブル（図３参照）を参照し、受信した電子メールの送信元となる電子メールアドレスに確認拒否設定「ＯＮ」が対応付けられているか否かを判定する。ここで確認拒否設定が「ＯＮ」の場合には、所持者が位置情報を上記送信元に送信することを拒否しているものと判断し、当該処理を終了する。一方、確認拒否設定が「ＯＦＦ」の場合には、所持者が位置情報を上記送信元に送信することを拒否していないものと判断し、当該処理を継続する。
【００４８】
一方、ステップ７ｆにおいて制御部１９０は、表示部１３０を制御して、「位置情報を「×××」に送信してもいいですか？」の表示を行い、所持者に対して位置情報の送信を行うかを問い、ステップ７ｇに移行する。なお、「×××」には、位置通知アドレステーブルの「送信先」に設定される文字列（「パパ」、「ママ」など）が表示される。
【００４９】
ステップ７ｇにおいて制御部１９０は、操作部１４０を通じて送信を許可するか否かの意思を受け付ける。ここで、所持者が「×××」に位置情報を送信してもよいと判断した場合には、所持者は許可する旨の操作を行うため、ステップ７ｈに移行する。一方、所持者が「×××」に位置情報を送信したくないと判断した場合には、所持者は拒否する旨の操作を行うため、当該処理を終了する。
【００５０】
ステップ７ｈにおいて制御部１９０は、図７Ｃに示すような測位・通知処理を実施する。まず、ステップ７ｓにおいて制御部１９０は、ＧＰＳ測位部１７０を制御して、位置を測位させ、ステップ７ｔに移行する。これによりＧＰＳ測位部１７０は、ＧＰＳ衛星ＳＴ１乃至ＳＴ３などから送信されるＧＰＳ信号を受信して、この信号に含まれる情報に基づいて測位演算を行い、当該携帯電話機の位置および測位精度を求める。なお、当該携帯電話機は、屋内や地下にある場合は、ＧＰＳ信号が受信できないために、測位を失敗することもある。この場合、ＧＰＳ測位部１７０は、制御部１９０から位置情報の出力要求があるまで、測位を継続するようにしてもよいし、位置情報が測位できない旨を表示部１３０に表示させるようにしてもよい。
【００５１】
ステップ７ｔにおいて制御部１９０は、ステップ７ｓでの測位が成功したか否かを判定する。測位の成否判定は、制御部１９０がＧＰＳ測位部１７０に対して位置情報の出力要求を行い、これに対して応答（位置情報の出力）があれば成功と判定し、上記応答がなければ失敗と判定する。ここで、測位が成功した場合には、ステップ７ｖに移行し、一方、測位が失敗した場合には、ステップ７ｕに移行する。
【００５２】
ステップ７ｕにおいて制御部１９０は、測位を失敗した旨を本文に記述した電子メールを作成する。また制御部１９０は、受信した電子メールアドレスの送信元を、上記電子メールの宛先に設定する。そして制御部１９０は、この電子メールを、通信部１１０を制御して送信し、図７Ａのステップ７ｉに移行する。
【００５３】
なお、ステップ７ｕにおいて制御部１９０は、記憶部１６０の位置情報テーブルから位置情報、測位精度および時刻情報を読み出し、ステップ７ｗに移行するようにしてもよい。この場合、最後に測位した情報に基づいて、ステップ７ｗ移行の処理がなされることになる。
【００５４】
一方、ステップ７ｖにおいて制御部１９０は、ＧＰＳ測位部１７０から位置情報およびその測位精度を取得するとともに、時計部１８０より現在時刻を示す時刻情報を取得し、これらの情報で記憶部１６０の位置情報テーブル（図４参照）に記録される情報を更新し、ステップ７ｗに移行する。
【００５５】
ステップ７ｗにおいて制御部１９０は、ステップ７ｖで取得した情報（位置情報、測位精度および測位時刻）と、記憶部１６０の通知場所テーブル（図５参照）とに基づいて、当該携帯電話機が位置する位置名（例えば「学校」、「公園」、「塾」など）を検出し、ステップ７ｘに移行する。この位置名の検出では、上記位置情報と、通知場所テーブルに記録される位置情報とを比較して行うが、位置情報の値が完全に一致する必要なく、予め設定した誤差内であれば、その位置に当該携帯電話機が位置するものとして判定する。
【００５６】
ステップ７ｘにおいて制御部１９０は、ステップ７ｗで検出した位置名と、ステップ７ｖで取得した情報（位置情報、測位精度および測位時刻）とを本文に記述した電子メールを作成する。また制御部１９０は、受信した電子メールアドレスの送信元を、上記電子メールの宛先に設定する。そして制御部１９０は、この電子メールを、通信部１１０を制御して送信し、図７Ａのステップ７ｉに移行する。
【００５７】
なお、ステップ７ｗの直前において、制御部１９０は、記憶部１６０の位置通知アドレステーブル（図３参照）に登録される電子メールアドレスを上記電子メールの宛先に設定する。そして制御部１９０は、位置情報、精度、時刻などの情報を、通信部１１０を制御して送信するようにしてもよい。
【００５８】
図７Ａのステップ７ｉにおいて制御部１９０は、記憶部１６０から測位回数を示すパラメータｍを読み出し、「１」だけ減じた値に更新する。そして制御部１９０は、この更新したパラメータｍを記憶部１６０に記録し、ステップ７ｊに移行する。
【００５９】
ステップ７ｊにおいて制御部１９０は、更新したパラメータが「０」か否かを判定する。すなわち、測位回数が、受信した電子メールで指定された回数に達したか否かを判定する。ここで、測位回数が「０」、すなわち受信した電子メールで指定された回数に達した場合には、当該処理を終了する。一方、受信した電子メールで指定された回数に達した場合には、ステップ７ｋに移行する。
【００６０】
ステップ７ｋにおいて制御部１９０は、時計部１８０に、ステップ７ｃの測位パラメータ設定処理で設定したインターバル時間ｔを設定するとともに、時計部１８０のタイマ機能を起動してタイマをスタートさせ、ステップ７ｌに移行する。
【００６１】
ステップ７ｌにおいて制御部１９０は、ステップ７ｋでスタートしたタイマがタイムアウトか否かを判定する。ここで、タイマがタイムアウトした場合には、ステップ７ｈに移行して、新たな測位を実施し、一方、タイムアウトしていない場合には、タイマがタイムアウトしたか否かを再び判定する。
【００６２】
以上のように、上記構成の携帯電話機では、位置通知アドレステーブルに登録されたアドレスの電子メールを受信すると、この電子メールの送信元を宛先とする電子メールを作成し、これに当該携帯電話機が位置する位置名、位置情報、測位精度、測位時刻を記述して送信するようにしている。
【００６３】
このため、上記構成の携帯電話機によれば、所持者が老人や障害者、子供であったり、災害に遭ったり、急病により複雑な操作ができない状況にあっても、この携帯電話機宛てに電子メールを送信するだけで、位置情報を通知することができるので、上記電子メールの送信者（被報知者）が所望のタイミングで、所持者の居場所を認識することができる。
【００６４】
また、図８に示すように、受信した電子メールの件名にキーワード「確認要求」が設定されていない場合には、携帯電話機の設定に準じて、電子メールを送った送信者に対して位置情報が送信される。一方、受信した電子メールの件名にキーワード「確認要求」が設定されている場合には、位置通知アドレステーブルの設定によらず、所持者の許可を受けた上で電子メールを送った送信者に対して位置情報が送信される。このため所持者のプライバシーを配慮した上で、送信者は位置情報を取得できる。またいずれにせよ、図３に示した位置通知アドレステーブルに登録された送信者に対してのみ、位置情報の送信が可能なので、第三者によって位置情報を取得されることはない。
【００６５】
次に図９を参照して、出発到着お知らせメール機能の動作について説明する。図９は、出発到着お知らせメール機能に関する制御部１９０の制御フローを示すフローチャートである。この図に示す処理は、当該携帯電話機の電源が投入されると、電源が切られるまで繰り返し実行される。また、電源が切られていたとしてもこのフローチャートの関する処理を受け付けられるようにしてもよい。
【００６６】
まずステップ９ａにおいて制御部１９０は、時計部１８０が計時する現在時刻と、図５に示した通知場所テーブルに設定された出発報知時刻および到着報知時刻とを比較し、両者が一致する時刻が到来したか否かを判定する。ここで、時計部１８０が計時する現在時刻が、出発報知時刻または到着報知時刻と一致した場合に、ステップ９ｂに移行し、一方、一致しない場合には、再びステップ９ａにて時刻一致の監視を継続する。
【００６７】
ステップ９ｂにおいて制御部１９０は、ステップ９ａで一致した時刻が出発報知時刻か到着報知時刻かを判定する。ここで、現在時刻が出発報知時刻に一致した場合には、ステップ９ｃに移行し、一方、現在時刻が到着報知時刻に一致した場合には、ステップ９ｉに移行する。
【００６８】
ステップ９ｃにおいて制御部１９０は、ＧＰＳ測位部１７０を制御して、位置を測位させ、ステップ９ｄに移行する。これによりＧＰＳ測位部１７０は、ＧＰＳ衛星ＳＴ１乃至ＳＴ３などから送信されるＧＰＳ信号を受信して、この信号に含まれる情報に基づいて測位演算を行い、当該携帯電話機の位置および測位精度を求め、制御部１９０に通知する。制御部１９０は、この通知が為されると、時計部１８０から現在時刻を測位時間として検出する。なお、当該携帯電話機は、屋内や地下にある場合は、ＧＰＳ信号が受信できないために、測位を失敗することもある。
【００６９】
ステップ９ｄにおいて制御部１９０は、ステップ９ｃでの測位が成功したか否かを判定する。測位の成否判定は、制御部１９０がＧＰＳ測位部１７０から位置情報の入力があれば成功と判定し、位置情報の入力がなければ失敗と判定する。ここで、測位が成功した場合には、制御部１９０は、時計部１８０から現在時刻を測位時間として検出したのち、ステップ９ｅに移行する。一方、測位が失敗した場合には、ステップ９ｃに移行して、再測位させる。
【００７０】
ステップ９ｅにおいて制御部１９０は、通知場所テーブルを参照し、現在時刻に対応する位置名を検出する。そして制御部１９０は、この検出した位置名に対応付けられた位置情報と、ステップ９ｄで測位された位置情報を比較し、一致しないことを確認する。ここで、一致しないと判定した場合、すなわち上記位置名の近傍に当該携帯電話機が位置しない場合には、ステップ９ｈ移行する。一方、一致すると判定した場合、すなわち上記位置名の近傍に当該携帯電話機が位置する場合には、ステップ９ｆに移行する。
【００７１】
なお、ここでの確認は、上記２つの位置情報を比較して行うが、測位精度などが原因で一致しない場合の方が多いと考えられる。このため、予め設定した誤差内であれば、一致するものとしてその位置に当該携帯電話機が位置するものと判定し、一方、予め設定した誤差以上の差がある場合には、一致しないもの、すなわちその位置にいないものと判定する。また上記誤差は、位置名の種類や、測位精度に応じて、制御部１９０が可変することで、判定精度を向上させるようにしてもよい。
【００７２】
ステップ９ｆにおいて制御部１９０は、「まだ「×××」を出発していません」といった文字列と、ステップ９ｃで取得した情報（位置情報および測位精度）と、ステップ９ｄで検出した測位時刻とを本文に記述した電子メールを作成する。なお、「×××」の文字列には、ステップ９ｅで検出した位置名（例えば「学校」、「公園」、「塾」）が設定される。また制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信し、ステップ９ｇに移行する。
【００７３】
ステップ９ｇにおいて制御部１９０は、時計部１８０が計時する時刻を監視して、一定時間が経過するのを待機する。やがて一定時間が経過すると、制御部１９０は、ステップ９ｃに移行して、再び測位を行う。
【００７４】
一方、ステップ９ｈにおいて、制御部１９０は、ステップ９ｃで取得した位置情報の測位精度が所定値（例えば最良の精度であるレベル１）以上の精度であるか否かを判断する。そして、測位精度が所定値（例えばレベル１）以上の精度であると判断した場合はステップ９ｊに移行する。また、測位精度が所定値未満の精度（例えばレベル２やレベル３）であると判断した場合は、ステップ９ｉに移行する。
【００７５】
そして、ステップ９ｉにおいて、制御部１９０は「すでに「×××」を出発したと思われますが、精度が悪いため△△分後に再度測位します」といった文字列と、ステップ９ｃで取得した情報（位置情報および測位精度）と、ステップ９ｄで検出した測位時刻とを本文に記述した電子メールを作成する。
【００７６】
なお、「×××」の文字列には、ステップ９ｅで検出した位置名（例えば「学校」、「公園」、「塾」）が設定される。また「△△」に相当する時間は、ステップ９ｇの一定時間に基づく時間を示す。そして制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信する。その後ステップ９ｇに移行する。
【００７７】
一方、ステップ９ｊにおいて制御部１９０は、「すでに「×××」を出発しました」といった文字列と、ステップ９ｃで取得した情報（位置情報および測位精度）と、ステップ９ｄで検出した測位時刻とを本文に記述した電子メールを作成する。なお、「×××」の文字列には、ステップ９ｅで検出した位置名（例えば「学校」、「公園」、「塾」）が設定される。また制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信し、当該処理を終了する。
【００７８】
またステップ９ｋにおいて制御部１９０は、ＧＰＳ測位部１７０を制御して、位置を測位させ、ステップ９ｌに移行する。これによりＧＰＳ測位部１７０は、ＧＰＳ衛星ＳＴ１乃至ＳＴ３などから送信されるＧＰＳ信号を受信して、この信号に含まれる情報に基づいて測位演算を行い、当該携帯電話機の位置および測位精度を求め、制御部１９０に通知する。なお、当該携帯電話機は、屋内や地下にある場合は、ＧＰＳ信号が受信できないために、測位を失敗することもある。
【００７９】
ステップ９ｌおいて制御部１９０は、ステップ９ｋでの測位が成功したか否かを判定する。測位の成否判定は、制御部１９０がＧＰＳ測位部１７０から位置情報の入力があれば成功と判定し、位置情報の入力がなければ失敗と判定する。ここで、測位が成功した場合には、制御部１９０は、時計部１８０から現在時刻を測位時間として検出したのち、ステップ９ｍに移行する。一方、測位が失敗した場合には、ステップ９ｋに移行して、再測位させる。
【００８０】
ステップ９ｍにおいて制御部１９０は、通知場所テーブルを参照し、現在時刻に対応する位置名を検出する。そして制御部１９０は、この検出した位置名に対応付けられた位置情報と、ステップ９ｉで測位された位置情報を比較し、一致することを確認する。ここで、一致しないと判定した場合、すなわち上記位置名の近傍に当該携帯電話機が位置しない場合には、ステップ９ｎに移行する。一方、一致すると判定した場合、すなわち上記位置名の近傍に当該携帯電話機が位置する場合には、ステップ９ｐに移行する。
【００８１】
なお、ここでの確認は、上記２つの位置情報を比較して行うが、測位精度などが原因で一致しない場合の方が多いと考えられる。このため、予め設定した誤差内であれば、一致するものとしてその位置に当該携帯電話機が位置するものと判定し、一方、予め設定した誤差以上の差がある場合には、一致しないもの、すなわちその位置にいないものと判定する。また上記誤差は、位置名の種類や、測位精度に応じて、制御部１９０が可変することで、判定精度を向上させるようにしてもよい。
【００８２】
ステップ９ｎにおいて制御部１９０は、「まだ「×××」に到着していません」といった文字列と、ステップ９ｋで取得した情報（位置情報および測位精度）と、ステップ９ｌで検出した測位時刻とを本文に記述した電子メールを作成する。なお、「×××」の文字列には、ステップ９ｍで検出した位置名（例えば「学校」、「公園」、「塾」）が設定される。また制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信し、ステップ９ｏに移行する。
【００８３】
ステップ９ｏにおいて制御部１９０は、時計部１８０が計時する時刻を監視して、一定時間が経過するのを待機する。やがて一定時間が経過すると、制御部１９０は、ステップ９ｋに移行して、再び測位を行う。
【００８４】
一方、ステップ９ｐにおいて、制御部１９０は、ステップ９ｃで取得した位置情報の測位精度が所定値（例えば最良の精度であるレベル１）以上の精度であるか否かを判断する。そして、測位精度が所定値（例えばレベル１）以上の精度であると判断した場合はステップ９ｒに移行する。また、測位精度が所定値未満の精度（例えばレベル２やレベル３）であると判断した場合は、ステップ９ｑに移行する。
【００８５】
そして、ステップ９ｑにおいて、制御部１９０は「すでに「×××」に到着したと思われますが、精度が悪いため△△分後に再度測位します」といった文字列と、ステップ９ｋで取得した情報（位置情報および測位精度）と、ステップ９ｌで検出した測位時刻とを本文に記述した電子メールを作成する。
【００８６】
なお、「×××」の文字列には、ステップ９ｍで検出した位置名（例えば「学校」、「公園」、「塾」）が設定される。また「△△」に相当する時間は、ステップ９ｏの一定時間に基づく時間を示す。そして制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信する。その後、ステップ９ｏに移行する。
【００８７】
一方、ステップ９ｒにおいて制御部１９０は、「「×××」に到着しました」といった文字列と、ステップ９ｋで取得した情報（位置情報および測位精度）と、ステップ９ｌで検出した測位時刻とを本文に記述した電子メールを作成する。なお、「×××」の文字列には、ステップ９ｍで検出した位置名（例えば「学校」、「公園」、「塾」）が設定される。また制御部１９０は、記憶部１６０の位置通知アドレステーブル（図３参照）に登録される電子メールアドレスを上記電子メールの宛先に設定する。そして制御部１９０は、この電子メールを、通信部１１０を制御して送信し、当該処理を終了する。
【００８８】
以上のように、上記構成の携帯電話機では、通知場所テーブルに登録された出発報知時刻になると測位を行い、所持者が上記出発報知時刻に対応付けられた位置名の場所の近傍に居るか居ないかを判定して、その場所を出発したか否かを位置通知アドレステーブルに登録される電子メールアドレス宛ての電子メールで報知するようにしている。
【００８９】
また上記構成の携帯電話機では、通知場所テーブルに登録された到着報知時刻になると測位を行い、所持者が上記到着報知時刻に対応付けられた位置名の場所の近傍に居るか居ないかを判定して、その場所に到着したか否かを位置通知アドレステーブルに登録される電子メールアドレス宛ての電子メールで報知するようにしている。
【００９０】
このため、上記構成の携帯電話機によれば、子供の学校の登下校、帰宅、塾通いなど、所持者の行動予定が予めわかっている場合に、その行動を電子メールで確認できる。また所持者の移動に応動して電子メールが送信されるので、被報知者は所持者の移動タイミングをつぶさに認識することができる。
【００９１】
またこのような出発の確認報知、到着の確認報知は、その確認が取れるまで繰り返し実行されるので、前述の位置お知らせメール機能を用いた場合に必要となりうる繰り返し問い合わせが不要である。
【００９２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００９３】
その一例として例えば、上記実施の形態では、図５に示した通知場所テーブルを測位する側の携帯電話機が記憶し、こちらの携帯電話機で、位置名を判断するようにした。しかしこれに限定されるものではなく、位置情報が通知される側の携帯電話機において、上記通知場所テーブルを記憶し、電子メールで通知された位置情報に基づいて、位置名を判断し、所持者に報知したり、あるいは図９に示したような出発／到着の判定を行うようにしてもよい。
【００９４】
また上記実施の形態では、通知場所テーブルに登録される情報は、予め登録するものとして説明したが、位置情報が通知される側の携帯電話機が電子メールによって上記情報を送信し、これを受けた携帯電話機は、上記通知場所テーブルに登録を行うようにしてもよい。この場合、上記メールの件名に、特定のキーワード（例えば「通知場所テーブル登録」）が設定される場合に、上記電子メールの本文に記述された「位置名」、「位置情報」、「出発報知時刻」、「到着報知時刻」を制御部１９０が読み出して、上記通知場所テーブルに登録すればよい。  
その他、この発明の要旨を逸脱しない範囲で種々の変形を施しても同様に実施可能であることはいうまでもない。
【図面の簡単な説明】
【００９５】
【図１】この発明に係わる移動通信システムの一実施形態の構成を示す図。
【図２】図１に示した移動通信システムで用いられる携帯電話機の構成を示す回路ブロック図。
【図３】図２に示した携帯電話機の記憶部が記憶する位置通知アドレステーブルの一例を示す図。
【図４】図２に示した携帯電話機の記憶部が記憶する位置情報テーブルの一例を示す図。
【図５】図２に示した携帯電話機の記憶部が記憶する通知場所テーブルの一例を示す図。
【図６】図２に示した携帯電話機の簡単位置メール機能の制御動作を説明するためのフローチャート。
【図７Ａ】図２に示した携帯電話機の位置お知らせメール機能の制御動作を説明するためのフローチャート。
【図７Ｂ】図２に示した携帯電話機の位置お知らせメール機能の制御動作を説明するためのフローチャート。
【図７Ｃ】図２に示した携帯電話機の位置お知らせメール機能の制御動作を説明するためのフローチャート。
【図８】図２に示した携帯電話機の位置お知らせメール機能の制御動作を説明するための図。
【図９】図２に示した携帯電話機の出発到着お知らせメール機能の制御動作を説明するためのフローチャート。
【符号の説明】
【００９６】
１００，２００…携帯電話機、１０１…アンテナ、１１０…通信部、１２０…音声処理部、１２１…スピーカ、１２２…マイクロホン、１３０…表示部、１４０…操作部、１５０…報知部、１６０…記憶部、１７０…測位部、１８０…時計部、１９０…制御部、ＢＳ１，ＢＳ２…基地局、ＭＳ…メールサーバ、ＮＷ…移動通信網、ＳＴ１，ＳＴ２，ＳＴ３…ＧＰＳ衛星。
【図１】
2007267175.tif 000003
【図２】
2007267175.tif 000004
【図３】
2007267175.tif 000005
【図４】
2007267175.tif 000006
【図５】
2007267175.tif 000007
【図６】
2007267175.tif 000008
【図７Ａ】
2007267175.tif 000009
【図７Ｂ】
2007267175.tif 000010
【図７Ｃ】
2007267175.tif 000011
【図８】
2007267175.tif 000012
【図９】
2007267175.tif 000013